(57)【要約】【課題】離床準備状態及び離床状態を確実に把握できるようにして、着床者の現状を正確に把握して告知できるようにすること。【解決手段】左右２本のベッド脚部（１Ａ）自体に又は該ベッド脚部（１Ａ）と床面との間にロードセル（２）を夫々設け、該ロードセル（２）の発した信号を、センサーユニット（７）のＣＰＵに予め入力された荷重差の１対９乃至３対７の値のしきい値を超えた時に光学的又は音声的或はその両方の告知手段（６）を稼働させ、ベッド使用者が離床準備状態又は離床状態にあることを告知する。【選択図】図１
2018018480.tif 000002
【特許請求の範囲】
【請求項１】
ベッドの離床告知方法であって、
ベッド（１）の離床により変動する荷重を受ける少なくとも左右２本のベッド脚部（１Ａ）自体に又は該ベッド脚部（１Ａ）と床面との間にロードセル（２）を夫々設けて荷重変動を検知し、該ロードセル（２）の発した信号を、センサーユニット（７）のＣＰＵに予め入力された荷重差の１対９乃至３対７の値のしきい値を超えた時に有線又は無線送信手段（４）を用いてコンピューター（５）に信号入力し、該コンピューター（５）の出力によって光学的又は音声的或はその両方の告知手段（６）を稼働させ、ベッド使用者が離床準備状態又は離床状態にあることを告知することを特徴とするベッドの離床告知方法。
【請求項２】
前記しきい値が、２対８になったとき、着床者が離床準備状態にあることを告知することを特徴とする、請求項１に記載のベッドの離床告知方法。
【請求項３】
ベッドの離床告知装置であって、
ベッドの左右の脚部に加わる荷重の変化を検知するロードセル（２）を夫々少なくとも１基設け、
前記ロードセル（２）の夫々の荷重信号と予め入力した荷重差の１対９乃至３対７の値のしきい値を比較するセンサーユニット（７）を設け、該センサーユニット（７）は、前記しきい値を超えた信号を受けたときに信号発信するように構成されており、
前記センサーユニット（７）の発信信号を伝達する有線又は無線送信手段（４）を設け、
前記有線又は無線送信手段（４）からの信号を受けるコンピューター（５）を設け、
前記コンピューター（５）からの出力で稼働する光学的又は音声的或はその両方の告知手段（６）を設け、以って、ベッド使用者が離床したことを告知することができるように構成されている、ことを特徴とするベッドの離床告知装置。
【発明の詳細な説明】
【技術分野】
【０００１】  本発明は、ベッドの使用者が離床したことを告知できるようにする方法及び告知装置に関する。
【背景技術】
【０００２】  ベッド使用者がベッドを離床することは、通常の場合、本来のところ何ら問題は生じないところであるが、実は、様々な問題を生じる場合がある。
病院のベッドに伏す患者、介護老人、その他、医師や監督者の指示を受けなければならない者がいる。【０００３】  例えば、一般病院、高齢者施設の特別養護老人ホーム、老人保健施設、介護療養型医療施設、精神病院病棟、要介護者のいる一般家庭において着床している患者、例えば、認知症患者などの利用者等である。
こうした利用者は、医師等の指示なくして勝手に離床すると、怪我をしたり、病状が悪化したりする虞があり、十分な監督下に置かれなければならない。
従って、勝手な離床は早急に発見し、善処しなければならない。【０００４】  そこで、これまでは、離床センサーなるものを設けることが行われていた。例えば、フロアーマットセンサタイプ、光センサータイプ、ベッドマットレス上設置センサータイプ、加速度センサータイプ等がある。
こうした技術については、次の文献を挙げることが出来る。
【先行技術文献】
【０００５】
【特許文献１】特開２０１４−０２３７００
【特許文献２】特開２０１２−１１７６１５３
【特許文献３】特開２０１３−２６９２４６
【発明の開示】
【発明が解決しようとする課題】
【０００６】  上述した従来技術のセンサー利用にあっては、荷重変化或は光学的検知を用いるにしても、離床者の正確な把握ができ難いという問題がった。
例えば、離床に至らないベッド上の動作により、マットレス上のセンサーが作動して警報を発したり、離床者自身ではない別人の動作が光電センサーを作動させてしまって警報を発したり、離床センサーが作動して警報を発して管理者が出向いても、既に離床して見当たらないといった事態も発生していた。
最も厄介なのは、離床後に気づいて探す必要が生じた場合で、事故発生の確率が上がる危険性があり、また、患者の場合には病状悪化を招くという事態を招くことになる。【０００７】  本発明は、かかる現状に鑑み、荷重変化を検知するという方式ながら、人間工学的着眼点によって、離床準備状態及び離床状態を確実に把握できるようにして、着床者の現状を正確に把握して告知できるようにすることを目的とする。
【課題を解決するための手段】
【０００８】  本発明の方法は、上記目的を達成するために、ベッドの離床告知方法であって、ベッド（１）の離床により変動する荷重を受ける少なくとも左右２本のベッド脚部（１Ａ）自体に又は該ベッド脚部（１Ａ）と床面との間にロードセル（２）を夫々設けて荷重変動を検知し、該ロードセル（１）の発した信号を、センサーユニット（７）のＣＰＵに予め入力された荷重差の１対９乃至３対７の値のしきい値を超えた時に有線又は無線送信手段（４）を用いてコンピューター（５）に信号入力し、該コンピューター（５）の出力によって光学的又は音声的或はその両方の告知手段（６）を稼働させ、ベッド使用者が離床準備状態又は離床状態にあることを告知する、という手段を講じたことを特徴とする。【０００９】  本発明の装置は、上記目的を達成するために、ベッドの離床告知装置であって、ベッドの左右の脚部に加わる荷重の変化を検知するロードセル（２）を夫々少なくとも１基設け、
前記ロードセル（２）の夫々の荷重信号と予め入力した荷重差の１対９乃至３対７の値のしきい値を比較するセンサーユニット（７）を設け、該センサーユニット（７）は、前記しきい値を超えた信号を受けたときに信号発信するように構成されており、
前記センサーユニット（７）の発信信号を伝達する有線又は無線送信手段（４）を設け、
前記有線又は無線送信手段（４）からの信号を受けるコンピューター（５）を設け、
前記コンピューター（５）からの出力で稼働する光学的又は音声的或はその両方の告知手段（６）を設け、以って、ベッド使用者が離床したことを告知することができるように構成されている、という手段を講じた。
【発明の効果】
【００１０】  本発明の方法及び装置によれば、着床者の離床動作による荷重変動をベッド左右のロードセルで検知して両者の差異を比較し、予め入力した１対９乃至３対７のしきい値を超えたことをもって、着床者が一側に移動して腰掛状態となって離床準備状態にあること或は離床状態に至るであろうことを確実に把握し、警報（光、音）を発することができるようになり、従来のような着床者が離床してしまった後に発見されるといった不測の事態を未然に回避できる利点がある。
本発明のその他の利点は、以下の実施例の説明から明らかとなろう。
【発明を実施するための最良の形態】
【００１１】  本発明の実施に際しては、上記ロードセル（２）をベッド（１）の足元側左右の脚部にも夫々設けて荷重変動を検知するようにし、着床者がベッド（１）の足元側に移動してから離床した場合でもより確実に検知できるようにすることが好ましい。
また、前記しきい値が、２対８になったとき、着床者が離床準備状態にあることを告知するようにするのが好ましい。
【図面の簡単な説明】
【００１２】
【図１】本発明にかかる離床を検知するシステムを示す概念図。
【実施例】
【００１３】  以下、本発明にかかる離床告知方法及び装置の好適実施例について図面を参照して詳述する。
図１に示すように、例えば、病院の患者のベッド１の着床者について適用する場合について説明する。
ベッド１の頭部側の脚部１Ａ，１Ａと床面との間にロードセル２を夫々設置する。このロードセル２は、それ自体公知の感圧素子から構成されたものであり、そこに加わる荷重を検知し、電気信号に変えて発信できる構成のものである。【００１４】  記憶素子を有するＣＰＵを備えたセンサーユニット７を設けて、ベッドの左右の脚部に加わる荷重の変化を検知するロードセル（２）からの信号を入力させるように構成し、このセンサーユニット７は、入力した荷重差の１対９乃至３対７、ここでは、２対８の値のしきい値を比較するように構成されている。この比率は、着床者がベッド１の一側に移動して腰掛状態となったときに生じる左右の脚部１Ａのロードセル２の検知荷重の比率（離床側のベッド１の脚部１Ａにおいて８、反対側の脚部１Ａにおいて２の荷重）を予定したもので、これによって、着床者が離床準状態に移動していることを認識するのである。尤も、この比率は、１対９乃至３対７の範囲内で離床準備を示す有効な検知結果を表すことが実験的に確認できている。勿論、前記荷重差比率が０であるときは、離床した状態又は着床した状態を示すことになるが、両者の区別は、検知荷重がゼロでああれば、離床であり、検知荷重が存すれば着床を示すことになり、以って、検知を判別し、告知の要否の基準となる。【００１５】  前記センサーユニット７は、前記しきい値を超えた信号を受けたときに信号発信するように構成されており、その信号は、ここでは無線送信手段４を設けることで、受信機３を介してコンピューター５に送られる。
そして、前記コンピューター５からの出力で稼働する光学的及び音声的告知手段６（何れか一方でもよい）を設け、以って、ベッド使用者が離床準備状態にかること、又は、離床したことを告知することができるように構成されている。
こうした無線伝達方式によれば、遠隔場所、異なる階層の病床の複数のベッド１における離床情報を容易に入手することができる。この複数ベッドの情報は、前記コンピューター５のディスプレイで目視によっても監視される。【００１６】  本発明においては、ベッド１の左右の脚部１Ａの検知値の差を比較して想定比率（１対９乃至３対７、好ましくは２対８）を超えた時に信号を発する方式であるので、患者の体重差や、成人、子供、老人などの体重差、体格差によって検知が狂うということがない。
図１における右下方のブロック図は、別のベッド１におけるセンサーユニット７のみを示したものであり、構成は、ベッド１の本体を備えた上述の構成のものと同じである。こうしたユニットは、各階、フォロアのベッド１に各々設けられるのである。【００１７】  初期設定は、２個のロードセル２並びに、増幅、Ａ／Ｄ変換器、ＣＰＵと記憶素子、無線機とアンテナ、ＡＣアダプター電源の構成をセンサーユニット７とし、ベッド１に設置後に通電し、患者の離床前のロードセル２からのデータを前記センサーユニット７のＣＰＵで処理し、左右各々のデータの風袋（未着床）のデータとして記憶させる。
勿論、初期設定においては、未着床時を、風袋として０荷重として、また左右のバランスも０として記憶させるものである。
同時に、前記左右ロードセル２の比較利率の２対８は、予めインプットしておくことになる。この比率をしきい値として、この比率を超えたときに信号を出力できるように構成されている。
尚、上述した制御系は、既存の技術に属するものであるから、その回路等についての詳細説明は省略する。【００１８】  上記の構成によって、装置が稼働状態にあるとき、ベッド１に着床した患者が離床しようとして、ベッド１の一側に移動すると、脚部１Ａのロードセル２の荷重が変動し、通常は、２対８に変位する。
その結果、センサーユニット７が作動して信号を発信し、無線によってコンピューター５に伝搬させることになり、これによって、告知手段６が作動し、光学的（ランプ）音響的（スピーカー）告知がなされることになり、患者の離床準備段階において変化を把握できて、離床を事前に食い止めることができる。
【発明の利用可能性】
【００１９】  本発明は、既存のベッドに対して敷設可能な装置であるので、病院、特別施設、一般家庭においても実施可能であり、その応用範囲は広い。
【符号の説明】
【００２０】  １：ベッド
１Ａ：ベッド脚部
２：ロードセル
４：有線又は無線送信手段
５：コンピューター
６：告知手段
７：センサーユニット
【図１】
2018018480.tif 000003